(57)【要約】システムアクセスのためのランダムアクセスシグナリングを送信するための技術が説明されている。ある態様において、ランダムアクセスシグナリングは、異なるユーザ機器（ＵＥ）のクラスについて異なる値を有している少なくとも１つの伝送パラメータに基づいて、送信されることができる。少なくとも1つのパラメータ値は、特定のＵＥのクラスに基づいて決定されることができ、また、ランダムアクセスシグナリングは、決定されたパラメータ値（単数または複数）に基づいて、送信されることができる。ランダムアクセスシグナリングは、ランダムアクセスプリアンブルであってもよく、また、少なくとも1つの伝送パラメータは、ターゲットＳＮＲ、バックオフ時間、および/または、パワーランプ、を含んでいてもよい。ランダムアクセスプリアンブルは、そのあと、特定のＵＥのクラスについての、ターゲットＳＮＲ値、パワーランプ値、および/または、バックオフ時間値、に基づいて、送信されることができる。別の態様においては、システムアクセスについてのメッセージは、ランダムアクセスプリアンブルのためにランダムアクセスレスポンスで受信された電力制御の補正に基づいて、送信されることができる。
2010506508.tif 000002
【特許請求の範囲】
【請求項１】
特定のユーザ機器（ＵＥ）のクラスに基づいて、ランダムアクセスシグナリングのための、少なくとも１つの伝送パラメータについての少なくとも１つのパラメータ値を決定するように、そして、システムアクセスについての前記少なくとも１つのパラメータ値に基づいて、前記ランダムアクセスシグナリングを送信するように、構成された少なくとも1つのプロセッサと、なお、前記少なくとも１つの伝送パラメータは、複数のＵＥのクラスについて異なる値を有している；
前記少なくとも1つのプロセッサに結合されたメモリと；
を備えている無線通信のための装置。
【請求項２】
前記少なくとも１つの伝送パラメータは、ターゲット信号対ノイズ比（ＳＮＲ）、パワーオフセット、および補正ファクタ、のうちの少なくとも１つを備えており、また、前記少なくとも１つのプロセッサは、前記少なくとも１つのパラメータ値に基づいて前記ランダムアクセスシグナリングの伝送パワーを決定するように、そして、前記の決定された伝送パワーで前記ランダムアクセスシグナリングを送信するように、構成されている、請求項１に記載の装置。
【請求項３】
前記ランダムアクセスシグナリングは、システムアクセスのために最初に送信されたランダムアクセスプリアンブルを備えている、請求項１に記載の装置。
【請求項４】
前記少なくとも１つの伝送パラメータは、前記ランダムアクセスプリアンブルについてのターゲット信号対ノイズ比（ＳＮＲ）を備えており、また、前記少なくとも１つのプロセッサは、前記特定のＵＥのクラスについてのターゲットＳＮＲ値に基づいて前記ランダムアクセスプリアンブルの伝送パワーを決定するように、そして、前記の決定された伝送パワーで前記ランダムアクセスプリアンブルを送信するように、構成されている、請求項３に記載の装置。
【請求項５】
前記少なくとも１つのプロセッサは、前記ランダムアクセスプリアンブルを送信するのに使用された時間周波数スロットの干渉レベルに基づいて、前記ランダムアクセスプリアンブルの伝送パワーを決定するように構成されている、請求項３に記載の装置。
【請求項６】
前記少なくとも１つの伝送パラメータは、バックオフ時間を備えており、また、前記少なくとも１つのプロセッサは、前記特定のＵＥのクラスについてのバックオフ時間値に基づいて、前記ランダムアクセスプリアンブルの連続する送信の間で待機する時間の量を決定するように構成されている、請求項３に記載の装置。
【請求項７】
前記少なくとも１つの伝送パラメータは、パワーランプを備えており、また、前記少なくとも１つのプロセッサは、前記特定のＵＥのクラスについてのパワーランプ値に基づいて、前記ランダムアクセスプリアンブルの連続する送信のための伝送パワーを決定するように構成されている、請求項３に記載の装置。
【請求項８】
前記少なくとも１つのプロセッサは、第１のチャネル上でランダムアクセスプリアンブルを送信するように、ランダムアクセスレスポンスを受信するように、そして、第２のチャネル上で前記ランダムアクセスシグナリングとしてメッセージを送信するように、構成されている、請求項１に記載の装置。
【請求項９】
前記少なくとも１つの伝送パラメータは、前記第１および第２のチャネル間でパワーオフセットを備えており、また、前記少なくとも１つのプロセッサは、前記特定のＵＥのクラスについてのパワーオフセット値に基づいて前記メッセージの伝送パワーを決定するように、そして、前記の決定された伝送パワーで前記メッセージを送信するように、構成されている、請求項８に記載の装置。
【請求項１０】
前記少なくとも１つのプロセッサは、パワーアップ時における初期システムアクセスのために、あるいは、アクティブ状態へ遷移するシステムアクセスのために、あるいは、ハンドオーバーのためのシステムアクセスのために、前記ランダムアクセスシグナリングを送信するように構成されている、請求項１に記載の装置。
【請求項１１】
特定のユーザ機器（ＵＥ）のクラスに基づいて、ランダムアクセスシグナリングのための、少なくとも１つの伝送パラメータについて少なくとも１つのパラメータ値を決定することと、なお、前記少なくとも１つの伝送パラメータは、複数のＵＥのクラスについて異なる値を有している；
システムアクセスのために、前記少なくとも１つのパラメータ値に基づいて、前記ランダムアクセスシグナリングを送信することと；
を備えている無線通信のための方法。
【請求項１２】
前記ランダムアクセスシグナリングは、ランダムアクセスプリアンブルを備えており、前記少なくとも１つの伝送パラメータは、前記ランダムアクセスプリアンブルについてのターゲット信号対ノイズ比（ＳＮＲ）を備えており、
前記ランダムアクセスシグナリングを前記送信することは、
前記特定のＵＥのクラスについてのターゲットＳＮＲ値に基づいて前記ランダムアクセスプリアンブルの伝送パワーを決定することと、
前記の決定された伝送パワーで前記ランダムアクセスプリアンブルを送信することと、
を備えている、
請求項１１に記載の方法。
【請求項１３】
前記ランダムアクセスシグナリングは、ランダムアクセスプリアンブルを備えており、前記少なくとも１つの伝送パラメータは、バックオフ時間を備えており、前記方法は、
前記特定のＵＥのクラスについてのバックオフ時間値に基づいて前記ランダムアクセスプリアンブルの連続する送信の間で待機する時間の量を決定すること、
をさらに備えている、
請求項１１に記載の方法。
【請求項１４】
前記ランダムアクセスシグナリングは、ランダムアクセスプリアンブルを備えており、前記少なくとも１つの伝送パラメータはパワーランプを備えており、前記方法は、
前記特定のＵＥのクラスについてのパワーランプ値に基づいて、前記ランダムアクセスプリアンブルの連続する送信のための伝送パワーを決定すること、
をさらに備えている、
請求項１１に記載の方法。
【請求項１５】
第１のチャネル上でランダムアクセスプリアンブルを送信することと、
ランダムアクセスレスポンスを受信することと、
をさらに備えており、前記ランダムアクセスシグナリングは、第２のチャネル上で送信するメッセージを備えており、前記少なくとも１つの伝送パラメータは、前記第１および第２のチャネル間でパワーオフセットを備えており、
前記ランダムアクセスシグナリングを前記送信することは、
前記特定のＵＥのクラスについてのパワーオフセット値に基づいて、前記メッセージの伝送パワーを決定することと、
前記の決定された伝送パワーで前記メッセージを送信することと、
を備えている、
請求項１１に記載の方法。
【請求項１６】
特定のユーザ機器（ＵＥ）のクラスに基づいて、ランダムアクセスシグナリングのための、少なくとも１つの伝送パラメータについて少なくとも１つのパラメータ値を決定するための手段と、なお、前記少なくも１つの伝送パラメータは、複数のＵＥのクラスについて異なる値を有している；
システムアクセスのために前記少なくとも１つのパラメータ値に基づいて、前記ランダムアクセスシグナリングを送信するための手段と；
を備えている無線通信のための装置。
【請求項１７】
前記ランダムアクセスシグナリングは、ランダムアクセスプリアンブルを備えており、前記少なくとも１つの伝送パラメータは、前記ランダムアクセスプリアンブルについてのターゲット信号対ノイズ比（ＳＮＲ）を備えており、
前記ランダムアクセスシグナリングを送信するための前記手段は、
前記特定のＵＥのクラスについてのターゲットＳＮＲ値に基づいて、前記ランダムアクセスプリアンブルの伝送パワーを決定するための手段と、
前記の決定された伝送パワーで前記ランダムアクセスプリアンブルを送信するための手段と、
を備えている、
請求項１６に記載の装置。
【請求項１８】
前記ランダムアクセスシグナリングは、ランダムアクセスプリアンブルを備えており、前記少なくとも１つの伝送パラメータは、バックオフ時間を備えており、前記装置は、
前記特定のＵＥのクラスについてのバックオフ時間値に基づいて前記ランダムアクセスプリアンブルの連続する送信の間で待機する時間の量を決定するための手段、
をさらに備えている、
請求項１６に記載の装置。
【請求項１９】
前記ランダムアクセスシグナリングは、ランダムアクセスプリアンブルを備えており、前記少なくとも１つの伝送パラメータは、電力ランプを備えており、前記装置は、
前記特定ＵＥのクラスについての電力ランプ値に基づいて前記ランダムアクセスプリアンブルの連続する送信のための伝送パワーを決定するための手段、
をさらに備えている、
請求項１６に記載の装置。
【請求項２０】
第１のチャネル上でランダムアクセスプリアンブルを送信するための手段と、
ランダムアクセスレスポンスを受信するための手段と、
をさらに備えており、前記ランダムアクセスシグナリングは、第２のチャネル上で送信するメッセージを備え、前記少なくとも１つの伝送パラメータは、前記第１および第２のチャネルの間でパワーオフセットを備え、
前記ランダムアクセスシグナリングを送信するための前記手段は、
前記特定のＵＥのクラスについてのパワーオフセット値に基づいて前記メッセージの伝送パワーを決定するための手段と、
前記の決定された伝送パワーで前記メッセージを送信するための手段と、
を備えている、
請求項１６に記載の装置。
【請求項２１】
機械によって実施されるときに、インストラクションを備えている機械可読媒体であって、前記インストラクションは、
特定のユーザ機器（ＵＥ）のクラスに基づいて、ランダムアクセスシグナリングについて少なくとも１つの伝送パラメータについて少なくとも１つのパラメータ値を決定することと、なお、前記少なくとも１つの伝送パラメータは、複数のＵＥのクラスについて異なる値を有している；
システムアクセスのために、前記少なくとも１つのパラメータ値に基づいて、前記ランダムアクセスシグナリングを送信することと；
を含んでいるオペレーション、
を前記機械に実行させる、機械可読媒体。
【請求項２２】
システムアクセスのためにランダムアクセスプリアンブルを送信するように、電力制御（ＰＣ）補正でランダムアクセスレスポンスを受信するように、前記ＰＣ補正に基づいてメッセージの伝送パワーを決定するように、そして、前記の決定された伝送パワーで前記メッセージを送信するように、構成された少なくとも１つのプロセッサと、
前記少なくとも１つのプロセッサに結合されたメモリと、
を備えている無線通信のための装置。
【請求項２３】
前記少なくとも１つのプロセッサは、前記ランダムアクセスプリアンブルの伝送パワーにさらに基づいて、前記メッセージの前記伝送パワーを決定するように構成されている、請求項２２に記載の装置。
【請求項２４】
前記少なくとも１つのプロセッサは、前記ランダムアクセスプリアンブルを送信するために使用された第１のチャネルと前記メッセージを送信するために使用された第２のチャネルとの間のパワーオフセットにさらに基づいて、前記メッセージの前記伝送パワーを決定するように構成されている、請求項２２に記載の装置。
【請求項２５】
前記ＰＣ補正は、伝送パワーにおける増加あるいは低減の量を示している、請求項２２に記載の装置。
【請求項２６】
前記ＰＣ補正は、あらかじめ決定された量によって、伝送パワーを増やす、あるいは、減らすかどうかを示している、請求項２２に記載の装置。
【請求項２７】
前記ＰＣ補正は、基地局において前記ランダムアクセスプリアンブルの受信された信号品質に基づいて、生成されている、請求項２２に記載の装置。
【請求項２８】
システムアクセスのためにランダムアクセスプリアンブルを送信することと、
電力制御（ＰＣ）補正で、ランダムアクセスレスポンスを受信することと、
前記ＰＣ補正に基づいてメッセージの伝送パワーを決定することと、
前記の決定された伝送パワーで前記メッセージを送信することと、
を備えている無線通信のための方法。
【請求項２９】
前記メッセージの前記伝送パワーを前記決定することは、前記ランダムアクセスプリアンブルの伝送パワーにさらに基づいて、前記メッセージの前記伝送パワーを決定することを備えている、請求項２８に記載の方法。
【請求項３０】
前記メッセージの前記伝送パワーを前記決定することは、前記ランダムアクセスプリアンブルを送信するために使用された第１のチャネルと前記メッセージを送信するのに使用された第２のチャネルとの間のパワーオフセットにさらに基づいて、前記メッセージの前記伝送パワーを決定することを備えている、請求項２８に記載の方法。
【請求項３１】
システムアクセスのために、ランダムアクセスプリアンブルを送信するための手段と、
電力制御（ＰＣ）補正でランダムアクセスレスポンスを受信するための手段と、
前記ＰＣ補正に基づいてメッセージの伝送パワーを決定するための手段と、
前記の決定された伝送パワーで前記メッセージを送信するための手段と、
を備えている無線通信のための装置。
【請求項３２】
前記メッセージの前記伝送パワーを決定するための前記手段は、前記ランダムアクセスプリアンブルの伝送パワーにさらに基づいて、前記メッセージの前記伝送パワーを決定するための手段を備えている、請求項３１に記載の装置。
【請求項３３】
前記メッセージの前記伝送パワーを決定するための前記手段は、前記ランダムアクセスプリアンブルを送信するために使用された第１のチャネルと前記メッセージを送信するために使用された第２のチャネルとの間のパワーオフセットにさらに基づいて、前記メッセージの前記伝送パワーを決定するための手段を備えている、請求項３１に記載の装置。
【請求項３４】
機械によって実施されるときに、インストラクションを備えている機械可読媒体であって、前記インストラクションは、
システムアクセスのためにランダムアクセスプリアンブルを送信することと、
電力制御（ＰＣ）補正でランダムアクセスレスポンスを受信することと、
前記ＰＣ補正に基づいてメッセージの伝送パワーを決定することと、
前記の決定された伝送パワーで前記メッセージを送信することと、
を含んでいるオペレーション、
を前記機械に実行させる、機械可読媒体。
【発明の詳細な説明】
【優先権主張】
【０００１】
（米国特許法第１１９条の下の優先権主張）
本願は、ここでの譲受人に譲渡され、参照することによりここに明示的に組み込まれ、２００６年１０月３日に出願された米国仮出願第６０／８２８，０５８号の優先権を主張する。
【背景】
【０００２】
（分野）
本開示は、一般に通信に関し、より具体的には、無線通信システム(wireless communication system)にアクセスする(accessing)ための技術に関する。
【０００３】
（背景）
無線通信システムは、音声、ビデオ、パケットデータ、メッセージング、ブロードキャスト、等、のような様々な通信コンテンツ(various communication content)を提供するために、広く展開されている。これらの無線システムは、利用可能なシステムリソースを共有することによって複数のユーザをサポートすることが可能である、多元接続システム(multiple-access systems)であってもよい。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一キャリアＦＤＭＡ(Single-Carrier FDMA)（ＳＣ−ＦＤＭＡ）システム、を含んでいる。
【０００４】
無線通信システムは、任意の数のユーザ機器(user equipments)（ＵＥｓ）についての通信をサポートできる、任意の数の基地局を含んでもよい。各ＵＥは、ダウンリンクおよびアップリンク上の送信を介して、１つまたは複数の基地局と通信することができる。ダウンリンク(あるいは順方向リンク)は、基地局からＵＥｓまでの通信リンクを指し、また、アップリンク(あるいは逆方向リンク)は、ＵＥｓから基地局までの通信リンクを指している。
【０００５】
ＵＥがシステムへのアクセスを獲得することを望むときには、ＵＥは、アップリンク上でランダムアクセスプリアンブル(random access preamble)(あるいはアクセスプローブ(access probe))を送信することができる。基地局は、ランダムアクセスプリアンブルを受信し、ＵＥについての関連情報(pertinent information)を含むことができるランダムアクセスレスポンス(random access response)（あるいはアクセス許可(access grant)）に応答することができる。アップリンクリソースは、ランダムアクセスプリアンブルを送信するために消費され、また、ダウンリンクリソースは、ランダムアクセスレスポンスを送信するために消費される。さらに、システムアクセス(system access)のために送信されたランダムアクセスプリアンブルおよび他のシグナリングは、アップリンク上で干渉を引き起こす可能性がある。したがって、システムアクセスのためにランダムアクセスプリアンブルおよびシグナリングを効率的に送信する技術に関して、当技術分野における必要性がある。
【発明の概要】
【０００６】
システムアクセスのためにランダムアクセスシグナリング（random access signaling）を効率的に送信するための技術が、ここにおいて説明される。一態様においては、ＵＥは、異なるＵＥのクラス(different UE classes)について異なる値を有している少なくとも１つの伝送パラメータ(at least one transmission parameter)に基づいて、ランダムアクセスシグナリングを送信することができ、それは、下記に説明されるある利点を提供することができる。少なくとも1つの伝送パラメータ(transmission parameter)についての少なくとも1つのパラメータ値(at least one parameter value)は、特定のＵＥのクラス(particular UE class)に基づいて、決定されることができる。ランダムアクセスシグナリングは、そのあとで、システムアクセスについての少なくとも1つのパラメータ値に基づいて、送信されることができる。
【０００７】
一つの設計において、ランダムアクセスシグナリングは、ランダムアクセスプリアンブルであってもよく、それはシステムアクセスのために最初に送信されたシグナリングである。少なくとも1つの伝送パラメータは、ランダムアクセスプリアンブルについてのターゲット信号対ノイズ比(signal-to-noise ratio)（ＳＮＲ）を備えることができる。ランダムアクセスプリアンブルの伝送パワー(transmit power)は、特定のＵＥのクラス(particular UE class)および他のパラメータについてのターゲットＳＮＲ値(target SNR value)に基づいて、決定されることができる。ランダムアクセスプリアンブルは、そのあと、決定された伝送パワーで送信されることができる。別の設計においては、少なくとも1つの伝送パラメータは、バックオフ時間(backoff time)を備えることができ、ランダムアクセスプリアンブルの連続する送信(successive transmissions)の間で待機する時間の量は、特定のＵＥのクラスについてのバックオフ時間値(backoff time value)に基づいて、決定されることができる。また別の設計においては、少なくとも1つの伝送パラメータは、パワーランプ(power ramp)を備えることができ、また、ランダムアクセスプリアンブルの連続する送信のための伝送パワーは、特定のＵＥのクラスについてのパワーランプ値(power ramp value)に基づいて決定されることができる。
【０００８】
別の設計においては、ランダムアクセスシグナリングは、ランダムアクセスプリアンブルについてのランダムアクセスレスポンスを受信した後で送信されたメッセージであってもよい。少なくとも1つの伝送パラメータは、ランダムアクセスプリアンブルを送信するために使用された第１のチャネル(first channel)とメッセージを送信するために使用された第２のチャネル(second channel)との間で、パワーオフセットを備えることができる。メッセージの伝送パワーは、特定のＵＥのクラスについてのパワーオフセット値(power offset value)に基づいて決定されることができ、また、メッセージは、決定された伝送パワーで送信されることができる。
【０００９】
別の態様においては、システムアクセスについてのメッセージは、パワー制御(power control)（ＰＣ）補正(correction)に基づいて、送信されることができる。ランダムアクセスプリアンブルは、システムアクセスのために送信されることができ、また、ＰＣ補正を備えたランダムアクセスレスポンスが受信されることができる。メッセージの伝送パワーは、ランダムアクセスプリアンブルとメッセージと、を送信するのに使用された複数のチャネルの間で(between the channels)パワーオフセットのような他のパラメータおよびＰＣ補正に基づいて、決定されることができる。メッセージは、そのあと、決定された伝送パワーで送信されることができる。
【００１０】
本開示の様々な態様および特徴は、下記でさらに詳細に説明される。
【図面の簡単な説明】
【００１１】
【図１】図１は、無線多元接続通信システムを示す。
【図２】図２は、アップリンク用の送信構成(transmission structure)を示す。
【図３】図３は、初期システムアクセスについてのメッセージのフローを示す。
【図４】図４は、アクティブな状態へ遷移する(transition)ためのシステムアクセスについてのメッセージのフローを示す。
【図５】図５は、ハンドオーバー(handover)のためのシステムアクセスについてのメッセージのフローを示す。
【図６】図６は、バックオフを用いて、連続するランダムアクセスプリアンブル伝送を示す。
【図７】図７は、ｅＮＢとＵＥのブロック図を示す。
【図８】図８は、ランダムアクセスシグナリングを送信するためのプロセスを示す。
【図９】図９はランダムアクセスシグナリングを送信するための装置を示す。
【図１０】図１０は、システムアクセスについてのメッセージを送信するためのプロセスを示す。
【図１１】図１１は、システムアクセスについてのメッセージを送信するための装置を示す。
【詳細な説明】
【００１２】
ここに説明される技術は、ＣＤＭＡ、ＴＤＭＡ、ＦＤＭＡ、ＯＦＤＭＡ、ＳＣ−ＦＤＭＡ、および他のシステムのような様々な無線通信システムについて使用されることができる。用語「システム(system)」および「ネットワーク(network)」は、しばしば互換性があるようにして(interchangeably)使用される。ＣＤＭＡシステムは、ユニバーサル地上無線アクセス(Universal Terrestrial Radio Access)（ＵＴＲＡ）、ｃｄｍａ２０００、等、のような無線技術をインプリメントする(implement)ことができる。ＵＴＲＡは、広域ＣＤＭＡ(Wideband-CDMA)（Ｗ−ＣＤＭＡ）および低チップレート(Low Chip Rate)（ＬＣＲ）を含んでいる。ｃｄｍａ２０００は、ＩＳ−２０００、ＩＳ−９５およびＩＳ−８５６標準規格をカバーしている。ＴＤＭＡシステムは、モバイル通信のためのグローバルシステム(Global System for Mobile Communications)（ＧＳＭ）のような無線技術(radio technology)をインプリメントすることができる。ＯＦＤＭＡシステムは、発展型ＵＴＲＡ(Evolved UTRA)（ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ(Flash-OFDM)（Ｒ）、等のような無線技術をインプリメントすることができる。ＵＴＲＡ、Ｅ−ＵＴＲＡおよびＧＳＭは、ユニバーサルモバイルテレコミュニケーションシステム(Universal Mobile Telecommunication System)（ＵＭＴＳ）の一部である。３ＧＰＰ長期的エボリューション(Long Term Evolution)（ＬＴＥ）は、Ｅ−ＵＴＲＡを使用するＵＭＴＳのこれから出てくるリリース(an upcoming release)であり、それは、ダウンリンク上でＯＦＤＭＡを、アップリンク上でＳＣ−ＦＤＭＡを使用する。ＵＴＲＡ、Ｅ−ＵＴＲＡ、ＧＳＭ、ＵＭＴＳ、および、ＬＴＥは、「第３世代パートナーシッププロジェクト(3rd Generation Partners
hip Project)」（３ＧＰＰ）と名づけられた機構からのドキュメントにおいて説明されている。ｃｄｍａ２０００およびＵＭＢは、「第三世代パートナーシッププロジェクト２」（３ＧＰＰ２）と名づけられた機構からのドキュメントにおいて説明されている。これらの様々な無線技術および標準規格は、当技術分野において知られている。明確にするために、技術のある態様が、ＬＴＥにおけるシステムアクセスについて下記で説明されており、ＬＴＥ用語は、下記の説明の多くにおいて使用されている。
【００１３】
図１は、複数の発展型ノードＢｓ(evolved Node Bs)（ｅＮＢｓ）１１０を備えた無線多元接続通信システム１００を示す。ｅＮＢは、ＵＥｓと通信するために使用された固定局であってもよく、また、ノードＢ、基地局、アクセスポイント、等、とも呼ばれてもよい。各ｅＮＢ１１０は、特定の地理的エリアについての通信サービスエリア(communication coverage)を提供する。各ｅＮＢ１１０の全体的なサービスエリアは、複数のより小さなエリア（例、３つ）に分割される(partitioned)ことができる。３ＧＰＰでは、用語「セル(cell)」が、ｅＮＢの最も小さいサービスエリア、および／または、このサービスエリアにサービス提供している(serving)ｅＮＢサブシステム、を指すことができる。他のシステムにおいては、用語「セクタ(sector)」が、最も小さいサービスエリア、および／または、このサービスエリアにサービス提供しているサブシステム、を指すことができる。明確にするために、セルの３ＧＰＰコンセプト(3GPP concept)は、下記の説明において使用されている。
【００１４】
ＵＥｓ１２０は、システムの全体にわたって、散らばっていてもよい(may be dispersed)。ＵＥは、固定あるいはモバイルであってもよく、また、さらに、モバイル局、端末、アクセス端末、加入者ユニット、局、等、とも呼ばれることができる。ＵＥは、セルラ電話(cellular phone)、携帯情報端末(personal digital assistant)（ＰＤＡ）、無線モデム、無線通信装置、ハンドヘルド装置、ラップトップコンピュータ、コードレスホン(cordless phone)、等、であってもよい。ＵＥは、ダウンリンクとアップリンク上の送信を介して、１つまたは複数のｅＮＢｓと通信することができる。図１においては、二つの矢印(double arrows)を備えた実線は、ｅＮＢとＵＥとの間の通信を示している。１つの矢印を備えた破線は、システムにアクセスすることを試みるＵＥを示している。
【００１５】
図２は、アップリンク用の送信構成の一例を示している。伝送タイムライン(transmission timeline)は、無線フレームの単位(units of radio frames)に分割されることができる。各無線フレーム(radio frame)は、複数の（Ｓ）サブフレームに分割されてもよく、また、各サブフレームは、複数のシンボル期間(symbol periods)を含むことができる。一つの設計において、各無線フレームは、１０ミリ秒（ｍｓ）の持続時間(duration)を有しており、また、１０個のサブフレームに分割され、また、各サブフレームは、１ｍｓの持続時間を有しており、１２あるいは１４のシンボル期間を含んでいる。無線フレームは、また、他の方法で分割されることができる。
【００１６】
アップリンクに利用可能な時間周波数リソースは、トラフィックデータ、シグナリング/制御情報などのような異なるタイプの伝送のために割り付けられることができる。一設計において、１つまたは複数のランダムアクセスチャネル(Random Access Channel)（ＲＡＣＨ）スロットは、各無線フレームにおいて定義されることができ、また、システムアクセスのために、ＵＥｓによって使用されることができる。一般に、いずれの数のＲＡＣＨスロットも定義されることができる。各ＲＡＣＨスロットは、いずれの時間周波数次元(any time-frequency dimension)も有することができ、また、無線フレーム内のどこにでも配置されることができる(may be located)。図２において示される一設計において、ＲＡＣＨスロットは、１つのサブフレームにわたり(spans)、また、１．２５ＭＨｚのあらかじめ決定された帯域幅(predetermined bandwidth)をカバーする。ＲＡＣＨスロットのロケーション(location)（例、ＲＡＣＨスロットに使用されたシステム帯域幅の特定のサブフレームおよび一部）は、各セルによってブロードキャストチャネル(Broadcast Channel)（ＢＣＨ）上でブロードキャストされるシステム情報において、伝達されることができる。ＲＡＣＨスロットについての他のパラメータ（例、署名シーケンス(signature sequences)が使用されている）は、固定されてもよく、あるいは、システム情報を介して伝達されることができる。
【００１７】
システムは、ダウンリンク用のトランスポートチャネルの１セット、および、アップリンク用のトランスポートチャネルの別のセット、をサポートすることができる。これらのトランスポートチャネル(transport channels)は、メディアアクセス制御(Medium Access Control)（ＭＡＣ）およびより高い層に対して、情報転送サービス(information transfer services)を提供するために、使用されることができる。トランスポートチャネルは、どのように、また、どんな特徴をもって、情報が無線リンクに渡って送信されるかによって説明されることができる。トランスポートチャネルは、物理チャネルにマッピングされることができ(may be mapped)、それは、変調およびコード化、リソースブロックに対するデータのマッピング、等、のような様々な属性によって定義されることができる。表１は、一設計にしたがって、ＬＴＥにおけるダウンリンク(downlink)（ＤＬ）およびアップリンク(uplink)（ＵＬ）に使用された、いくつかの物理的なチャネルを列挙している。
【表１】
2010506508.tif 000003
【００１８】
表１の物理的なチャネルは、また、他の名称で、呼ばれてもよい。例えば、ＰＤＣＣＨは、また、共有されたダウンリンク制御チャネル(Shared Downlink Control Channel)（ＳＤＣＣＨ）、層１／層２（Ｌ１／Ｌ２）制御、等、と呼ばれてもよい。ＰＤＳＣＨも、また、ダウンリンクＰＤＳＣＨ(downlink PDSCH)（ＤＬ−ＰＤＳＣＨ）、と呼ばれてもよい。ＰＵＳＣＨも、また、アップリンクＰＤＳＣＨ(uplink PDSCH)（ＵＬ−ＰＤＳＣＨ）、と呼ばれてもよい。
【００１９】
トランスポートチャネルは、ＵＥｓにデータを送信するのに使用されたダウンリンク共有されたチャネル(Downlink Shared Channel)（ＤＬ−ＳＣＨ）、ＵＥｓによってデータを送信するのに使用されたアップリンク共有されたチャネル(Uplink Shared Channel)（ＵＬ−ＳＣＨ）、システムにアクセスするためにＵＥｓによって使用されたＲＡＣＨ、等、を含むことができる。ＤＬ−ＳＣＨは、ＰＤＳＣＨにマッピングされ(mapped to)、また、さらに、ダウンリンク共有されたデータチャネル(Downlink Shared Data Channel)（ＤＬ−ＳＤＣＨ）とも呼ばれることができる。ＵＬ−ＳＣＨは、ＰＵＳＣＨにマッピングされ、また、さらにアップリンク共有データチャネル(Uplink Shared Data Channel)（ＵＬ−ＳＤＣＨ）と呼ばれることができる。ＲＡＣＨは、ＰＲＡＣＨにマッピングされることができる。
【００２０】
ＵＥは、ＬＴＥデタッチ(LTE Detached)、ＬＴＥアイドル（LTE Idle）、およびＬＴＥアクティブ（LTE Active）、の状態のうちの１つにおいて動作することができ、それぞれ、ＲＲＣ＿ＮＵＬＬ、ＲＲＣ＿ＩＤＬＥおよびＲＲＣ＿ＣＯＮＮＥＣＴＥＤ、の状態に関連づけられることができる。無線リソース制御(Radio Resource Control)（ＲＲＣ)は、呼び出しの、確立(establishment)、維持(maintenance)、および終了(termination)について、様々な機能を実行することができる。ＬＴＥデタッチ状態では、ＵＥは、システムにアクセスしておらず、システムによって知られていない。ＵＥは、ＬＴＥデタッチ状態においてパワーアップ(power up)してもよく、ＲＲＣ＿ＮＵＬＬ状態において動作することができる。ＵＥは、システムにアクセスし登録(registration)を実行する際に、ＬＴＥアイドル状態あるいはＬＴＥアクティブ状態のいずれかに遷移することができる。ＬＴＥアイドル状態においては、ＵＥは、システムで登録したかもしれないが、ダウンリンクあるいはアップリンク上で交換するためのいずれのデータも有さない可能性がある。したがって、ＵＥは、アイドルであり、ＲＲＣ＿ＩＤＬＥ状態において動作することができる。ＬＴＥアイドル状態では、ＵＥおよびシステムは、ＵＥがＬＴＥアクティブ状態へと早く遷移することを可能にするために、関連のコンテキスト情報(pertinent context information)を有する可能性がある。ＵＥは、送信するあるいは受信するデータがあるときには、ＬＴＥアクティブ状態へと遷移することができる。ＬＴＥアクティブ状態においては、ＵＥは、ダウンリンクおよび／またはアップリンク上で、システムとアクティブに通信することができ、また、ＲＲＣ＿ＣＯＮＮＥＣＴＥＤ状態において動作することができる。
【００２１】
ＵＥは、ＵＥがシステムにアクセスしたいと望むときにはいつでも、例えばパワーアップ時に、ＵＥが送るデータを有する場合に、ＵＥがシステムによってページングされる(paged)場合に、等、アップリンク上でランダムアクセスプリアンブルを送信することができる。ランダムアクセスプリアンブルは、システムアクセスのために最初に送信されたシグナリングであり、また、さらに、アクセス署名(access signature)、アクセスプローブ(access probe)、署名シーケンス(signature sequence)、ＲＡＣＨ署名シーケンス(RACH signature sequence)、等、とも呼ばれることができる。ランダムアクセスプリアンブルは、様々なタイプの情報を含んでもよく、また、下記で説明されるように、様々な方法で送信されることができる。ｅＮＢは、ランダムアクセスプリアンブルを受信してもよく、ＵＥに対して、ランダムアクセスレスポンスを送信することによって応答することができる。ランダムアクセスレスポンスは、また、アクセス許可(access grant)、アクセスレスポンス、等とも呼ばれることができる。下記に説明されるように、ランダムアクセスレスポンスは、様々なタイプの情報を搬送することができ、様々な方法で、送信されることができる。ＵＥとｅＮＢは、無線接続をセットアップするためにシグナリングをさらに交換することができ、そのあと、データを交換することができる。
【００２２】
図３は、ランダムアクセスプロシージャ３００の設計についてのメッセージのフローを示す。この設計においては、ＵＥは、ＲＲＣ＿ＮＵＬＬかＲＲＣ＿ＩＤＬＥ状態にあってもよく、ランダムアクセスプリアンブルを送信することによりシステムにアクセスすることができる（ステップＡ１）。ランダムアクセスプリアンブルは、Ｌビットの情報を含むことができ、ここで、Ｌは、いずれの整数値であってもよい。アクセスシーケンスは、アクセスシーケンスに利用可能な２Ｌのプール(a pool of 2L available access sequences)から選択されることができ、また、ランダムアクセスプリアンブルについて送信されることができる。一設計においては、ランダムアクセスプリアンブルは、Ｌ＝６ビットの情報を含んでおり、また、１つのアクセスシーケンスは、６４のアクセスシーケンスのプール(a pool of 64 access sequences)から選択される。２Ｌのアクセスシーケンスは、いずれの長さであってもよく、また、よい検出プロパティ(good detection properties)を有するように設計されることができる。例えば、６４のアクセスシーケンスは、適切な長さのＺａｒｄｏｆｆ−Ｃｈｕシーケンスの異なる周期的なシフト(different cyclic shifts of a Zardoff-Chu sequence of a suitable length)に基づいて定義されることができる。
【００２３】
ランダムアクセスプリアンブルは、ＵＥによって擬似乱数的に選択され、ＵＥからランダムアクセスプリアンブルを識別するために使用されることができるランダム識別子(identifier)（ＩＤ）を含むことができる。ランダムアクセスプリアンブルは、また、ダウンリンクのチャネル品質インジケータ(channel quality indicator)（ＣＱＩ）についての１つまたは複数のさらなるビット、および／または、他の情報、を含むことができる。ダウンリンクＣＱＩは、ＵＥによって測定されるように、ダウンリンクチャネル品質(downlink channel quality)を示してもよく、また、ＵＥに対して後続ダウンリンク伝送を送信するために、および／または、ＵＥにアップリンクリソースを割り当てるために、使用されてもよい。一設計において、６ビットのランダムアクセスプリアンブルは、４ビットのランダムＩＤおよび２ビットのＣＱＩを含むことができる。別の設計においては、６ビットのランダムアクセスプリアンブルは、５ビットのランダムＩＤおよび１ビットのＣＱＩを含むことができる。ランダムアクセスプリアンブルは、また、異なるおよび/またはさらなる情報を含んでもよい。
【００２４】
ＵＥは、システムアクセスの間ＵＥのための一時的ＩＤとして使用されることができる、暗黙の無線ネットワーク一時的識別子(Implicit Radio Network Temporary Identifier)（Ｉ−ＲＮＴＩ）を決定することができる。ＵＥは、セルＲＮＴＩ(Cell RNTI)（Ｃ−ＲＮＴＩ）のような、より不変なＩＤ(a more permanent ID)がＵＥに割り当てられるまで、Ｉ−ＲＮＴＩによって識別されることができる。一設計において、Ｉ−ＲＮＴＩは以下のものを含むことができる：
・システム時間(System time)（８ビット）−アクセスシーケンスがＵＥによって送信される時の時間
・ＲＡプリアンブル識別子（６ビット）−ＵＥによって送信されたアクセスシーケンスのインデクス
Ｉ−ＲＮＴＩは、固定された長さ（例、１６ビット）を有してもよく、また、固定された長さを達成するために、十分な数のゼロ（例、ゼロを２つ）で、パッドすることができる(padded with)。システム時間は、無線フレームの単位で与えられてもよく、８ビットのシステム時間は、２５６個の無線フレームあるいは２５６０ｍｓにわたって(over)、明白である。別の設計においては、Ｉ−ＲＮＴＩは、４ビットのシステム時間、６ビットのＲＡプリアンブル識別子、そしてパッディングビット(padding bits)(もし必要であれば)、から成る。一般に、Ｉ−ＲＮＴＩは、（i）ＵＥあるいはランダムアクセスプリアンブルが個別にアドレス指定する(addressed)ことを可能にし、(ii)同じＩ−ＲＮＴＩを使用して別のＵＥとの衝突の可能性を減らす、ことができるいずれの情報で形成されることができる。Ｉ−ＲＮＴＩのライフタイム(lifetime)は、ランダムアクセスプリアンブルに対する非同期レスポンスについての最大の予期された応答時間(maximum expected response time)に基づいて選択されることができる。Ｉ−ＲＮＴＩは、また、ＲＮＴＩがＲＡＣＨをアドレス指定するということを示すパターン（例、システム時間の前に０００．．．０）とシステム時間を含むことができる。
【００２５】
別の設計においては、複数のＲＡＣＨｓは、利用可能であってもよく、また、ＵＥは、利用可能なＲＡＣＨｓのうちの１つをランダムに選択することができる。各ＲＡＣＨは、異なるランダムアクセスＲＮＴＩ(Random Access RNTI)（ＲＡ−ＲＮＴＩ）と関連づけられていてもよい。ＵＥは、システムアクセスの間に、選択されたＲＡＣＨのＲＡ−ＲＮＴＩと、ＲＡプリアンブル識別子との組み合わせによって識別されることができる。Ｉ−ＲＮＴＩは、ＲＡ−プリアンブル識別子、ＲＡ−ＲＮＴＩ、およびシステム時間、例えばＲＡ−プリアンブル識別子およびＲＡ−ＲＮＴＩ、あるいは、ＲＡ−ＲＮＴＩおよびシステム時間、等、のいずれの組み合わせに基づいて、定義されることができる。システム時間は、ランダムアクセスプリアンブルに対する非同期レスポンスには有益(beneficial)かもしれない。Ｉ−ＲＮＴＩは、ＲＡ−ＲＮＴＩおよびシステム時間に基づいて形成される場合には、そのときには、ＵＥは、例えばＰＤＳＣＨ上で、個別に送信されたＲＡ−プリアンブル識別子に基づいて識別されることができる。ＵＥは、選択されたＲＡＣＨ上で、ランダムアクセスプリアンブルを送信することができる。
【００２６】
ｅＮＢは、ＵＥからランダムアクセスプリアンブルを受信することができ、ＵＥに対して、ＰＤＣＣＨおよび／またはＰＤＳＣＨ上でランダムアクセスレスポンスを送信することによって応答することができる（ステップＡ２）。ｅＮＢは、ＵＥと同じ方法で、ＵＥのＩ−ＲＮＴＩを決定することができる。ｅＮＢは、Ｉ−ＲＮＴＩのライフタイム内でＵＥからランダムアクセスプリアンブルに非同期に応答することができる。一設計において、ＰＤＣＣＨ／ＰＤＳＣＨは、次のものを搬送することができる：
・タイミングアドバンス(Timing advance)―ＵＥの伝送タイミングに対する調整を示す
・ＵＬリソース―アップリンク伝送についてＵＥに対して許可されるリソースを示す
・ＰＣ補正(PC correction)―ＵＥの伝送パワーに対する調節を示す。
【００２７】
・Ｉ−ＲＮＴＩ―アクセス許可が送信される、ＵＥあるいはアクセスの試みを識別する
周期的冗長チェック(cyclic redundancy check)（ＣＲＣ）は、ＰＤＣＣＨ／ＰＤＳＣＨ上で送信されているすべての情報に基づいて、生成されることができる。ＣＲＣは、Ｉ−ＲＮＴＩ（図３で示されているように）、ＲＡ−プリアンブル識別子、ＲＡ−ＲＮＴＩ、および／または、アドレス指定されているＵＥを識別する他の情報、を用いて排他的論理和をとることができる(exclusive Ored)（ＸＯＲをとる(XORed)）。異なる、および／または、他の情報も、また、ステップＡ２においてＰＤＣＣＨ／ＰＤＳＣＨ上で送信されてもよい。
【００２８】
ＵＥは、そのあと、起こりうる衝突(possible collision)を解決するために、固有のＵＥ ＩＤ(a unique UE ID)で応答することができる（ステップＡ３）。固有のＵＥ ＩＤは、国際モバイル加入者識別情報(International Mobile Subscriber Identity)（ＩＭＳＩ）、一時的なモバイル加入者識別情報(Temporary Mobile Subscriber Identity)（ＴＭＳＩ）、別のランダムＩＤ、等、であってもよい。固有のＵＥ ＩＤは、また、ＵＥが与えられたエリア内で既に登録した場合には、登録エリアのＩＤ(registration area ID)であってもよい。ＵＥは、また、ダウンリンクＣＱＩ、パイロット測定報告(pilot measurement report)、等を、固有のＵＥ ＩＤと一緒に(along with)、送信することができる。
【００２９】
ｅＮＢは、固有のＵＥ ＩＤに対する固有の「ハンドル(handle)」あるいはポインタを受信することができる。ｅＮＢは、そのあと、ＵＥに対して、Ｃ−ＲＮＴＩと制御チャネルリソースを割り当てることができる。ｅＮＢは、ＰＤＣＣＨ上およびＰＤＳＣＨ上でレスポンスを送信することができる（ステップＡ４およびＡ５）。一設計において、ＰＤＣＣＨは、どこに残りの情報がＰＤＳＣＨ上で送信されるかを示すＩ−ＲＮＴＩおよびＤＬリソースを含んでいるメッセージを、ＵＥに搬送することができる。一設計において、ＰＤＳＣＨは、固有のＵＥ ＩＤ、Ｃ−ＲＮＴＩ（割り当てられた場合には）、ダウンリンクＣＱＩを送信するためにＵＥによって使用されたＣＱＩリソース、ＵＥに対するＰＣ補正を送信するのに使用されたＰＣリソース、等、を含んでいるメッセージを搬送することができる。ＰＤＣＣＨ上およびＰＤＳＣＨ上で送信されたメッセージは、また、異なる、および／または、他の情報を搬送することができる。
【００３０】
ＵＥは、ＵＥに対してＰＤＣＣＨ上およびＰＤＳＣＨ上で送信されたメッセージをデコードする(decode)ことができる。これら２つのメッセージをデコードした後で、ＵＥは、十分なリソースを構成しており、ｅＮＢで層３シグナリングを交換することができる（ステップＡ６およびＡ７）。層３のシグナリングは、ＵＥの認証についての非アクセス層(Non-Access Stratum)（ＮＡＳ）メッセージ、ＵＥとｅＮＢとの間の無線リンクの構成、接続管理(connection management)、等を含むことができる。ＵＥとｅＮＢは、層３シグナリングを完了した後で、データを交換することができる(ステップＡ８)。
【００３１】
図４は、ランダムアクセスプロシージャ４００の設計についてのメッセージフローを示す。この設計では、ＵＥは、ＲＲＣ＿ＩＤＬＥあるいはＲＲＣ＿ＣＯＮＮＥＣＴＥＤ状態にあってもよく、また、ＵＥに対してＣ−ＲＮＴＩをすでに割り当ててもよい。ＵＥは、送信するデータを受信することに応じてＲＲＣ＿ＩＤＬＥ状態から、あるいは、ハンドオーバーコマンド(handover command)に応じてＲＲＣ＿ＣＯＮＮＥＣＴＥＤ状態から、システムにアクセスすることができる。ＵＥは、ランダムアクセスプリアンブルを送信してもよく、それは、ランダムＩＤと、ダウンリンクＣＱＩについてのおそらく１つまたは複数のさらなるビットおよび／または他の情報を含むことができる（ステップＢ１）。
【００３２】
ｅＮＢは、ＵＥからランダムアクセスプリアンブルを受信することができ、また、ＵＥに対してＰＤＣＣＨおよび／またはＰＤＳＣＨ上でランダムアクセスレスポンスを送信することによって応答することができる（ステップＢ２）。ランダムアクセスレスポンスは、タイミングアドバンス、ＵＬリソース、ＰＣ補正、そして、Ｉ−ＲＮＴＩ、ＲＡ−プリアンブル識別子、ＲＡ−ＲＮＴＩ、および／または、ＵＥを識別する他の情報で、ＸＯＲをとられることができるＣＲＣ、を含むことができる。ＵＥは、そのあとで、ｅＮＢに対して、そのＣ−ＲＮＴＩ、ダウンリンクＣＱＩ、パイロット測定報告、および／または他の情報、を送信することができる（ステップＢ３）。ｅＮＢは、そのあと、ＰＤＣＣＨ上およびＰＤＳＣＨ上でレスポンスを送信することができる（ステップＢ４およびＢ５）。ＰＤＣＣＨは、ＰＤＳＣＨについてのＤＬリソースとＣ−ＲＮＴＩを含んでいるメッセージを搬送することができる。ＰＤＳＣＨは、ＣＱＩリソース、ＰＣリソース、等、を含んでいるメッセージを搬送することができる。ＵＥは、ＵＥに対してＰＤＣＣＨとＰＤＳＣＨ上で送信されたメッセージをデコードすることができる。Ｃ−ＲＮＴＩを割り当てられる前に、ＵＥが認証されたので、層３のシグナリング交換は省略されることができる。ステップＢ５の後で、ＵＥは十分なリソースを構成しており、また、ｅＮＢでデータを交換することができる（ステップＢ６）。
【００３３】
図５は、ハンドオーバーのためのランダムアクセスプロシージャ５００の設計についてのメッセージのフローを示す。この設計においては、ＵＥは、ソースｅＮＢと通信することができ、ターゲットｅＮＢに対してハンドオーバーされることができる。ＵＥは、ターゲットｅＮＢにアクセスする使用のために、ソースｅＮＢによってランダムＩＤを割り当てられてもよい。衝突を回避するために、すべての起こりうるランダムＩＤｓのサブセット(a subset of all possible random IDs)は、ハンドオーバーについてリザーブされる(reserved)ことができ、また、ＵＥに対して割り当てられたランダムＩＤは、このリザーブされたサブセットから選択されることができる。リザーブされたランダムＩＤｓのサブセットに関する情報は、すべてのＵＥｓに対してブロードキャストされることができる。
【００３４】
ソースｅＮＢは、Ｃ−ＲＮＴＩのターゲットｅＮＢに、ランダムＩＤ、ＣＱＩリソース、ＰＣリソース、および／または、ＵＥについての他の情報、を通知することができる。衝突の解決は、ＵＥのＣ−ＲＮＴＩと割り当てられたランダムＩＤとの間の１対１のマッピングのため、必然的でなくてもよい。したがって、ターゲットｅＮＢは、ランダムアクセスプロシージャの前に、ＵＥに対して関連のコンテキスト情報を有することができる。簡潔化のために、図５は、ＵＥとターゲットｅＮＢとの間で、ランダムアクセスプロシージャを示す。
【００３５】
ＵＥは、ランダムアクセスプリアンブルを送信することができ、それは、ＵＥに対して割り当てられたランダムＩＤと、おそらく他の情報を含むことができる（ステップＣ１）。ターゲットｅＮＢは、ランダムアクセスプリアンブルを受信することができ、また、ＵＥに対してＰＤＣＣＨおよび／またはＰＤＳＣＨ上でランダムアクセスレスポンスを送信することによって応答することができる（ステップＣ２）。ランダムアクセスレスポンスは、タイミングアドバンス、ＵＬリソース、ＰＣ補正、および、ＵＥのＣ−ＲＮＴＩでＸＯＲを取られることができるＣＲＣ、を含むことができる。ステップＣ２の後、ＵＥは、十分なリソースを構成しており、また、ｅＮＢでデータを交換することができる。ＵＥは、ステップＣ２で受信された情報について層２のＡＣＫを送信することができ、また、さらに、データおよび／または他の情報を送信することができる（ステップＣ３）。ｅＮＢは、そのあとで、ＰＤＳＣＨ上でＵＥに対してデータを送信することができ（ステップＣ５）、また、ＰＤＣＣＨ上でＰＤＳＣＨについてのシグナリングを送信することができる（ステップＣ４）。
【００３６】
図３〜５は、初期システムアクセス(initial system access)、アイドル中のシステムアクセス、およびハンドオーバーについてのシステムアクセス、に使用されることができるいくつかのランダムアクセスプロシージャの例を示している。他のランダムアクセスプロシージャもまた、システムアクセスに使用されることができる。
【００３７】
図３〜５において示されているように、高速ハイブリッド自動再伝送(hybrid automatic retransmission)（ＨＡＲＱ）は、ステップＡ３、Ｂ３およびＣ３そしてもっと後において送信されたメッセージのために使用されることができる。ＨＡＲＱについては、送信機は、メッセージの伝送を送信することができ、また、受信機は、メッセージが正確にデコードされる場合にはＡＣＫを、メッセージが誤ってデコードされる場合にはＮＡＫを、送信することができる。送信機は、ＡＣＫがメッセージについて受信されるまで、あるいは、最大数の再送が送信されるまで、必要であれば(if needed)、メッセージの１つまたは複数の再伝送を送信することができる。
【００３８】
図６は、ＵＥによるランダムアクセスプリアンブル伝送の設計を示す。ＵＥは、ターゲットｅＮＢに対して、時間Ｔ１のときに、初期伝送パワー(initial transmit power)
【数１】
2010506508.tif 000004
【００３９】
で、ランダムアクセスプリアンブルを送信することができる。ＵＥは、そのあと、ｅＮＢからのランダムアクセスレスポンスを待機していてもよい。ランダムアクセスレスポンスがあらかじめ決定された時間インターバル(a predetermined time interval)内で受信されない場合には、そのときには、ＵＥは、特定のバックオフ時間を待機し、そのあと、バックオフ時間の後の次の利用可能ＲＡＣＨスロットにおいて、ランダムアクセスプリアンブルを再伝送してもよい。ランダムアクセスプリアンブル２番目の伝送は、時間Ｔ２のときに、より高い伝送パワー
【数２】
2010506508.tif 000005
【００４０】
で送信される。各失敗した伝送(failed transmission)についてのバックオフ時間を待っている後で、いずれか（１）ランダムアクセスレスポンスがｅＮＢから受信されるまで、あるいは（２）最大数の伝送がランダムアクセスプリアンブルのために送信されるまで、ＵＥは、だんだん高い伝送パワー(progressively higher transmit power)でランダムアクセスプリアンブルを再伝送し続けることができる。図６において示された一例において、ＵＥは、ランダムアクセスプリアンブルのＭ個の伝送の後で、ランダムアクセスレスポンスを受信しており、ここでは、一般的にＭ≧１である。
【００４１】
ランダムアクセスレスポンスを受信した後で、ＵＥは、時間Ｔｍｓｇのときに、伝送パワー
【数３】
2010506508.tif 000006
【００４２】
で、第１のアップリンクメッセージ（例、図３のステップＡ３、図４のステップＢ３、あるいは図５のステップＣ３）を送信することができる。伝送パワー
【数４】
2010506508.tif 000007
【００４３】
は、アップリンク干渉を減らしている間に、第１のアップリンクメッセージの信頼性のある受信(reliable reception)を達成するために選択されることができる。
【００４４】
一設計において、ランダムアクセスプリアンブルのｍ番目の伝送についての伝送パワー、
【数５】
2010506508.tif 000008
【００４５】
は、開ループ方法に基づいて、次のように決定されることができる。
【数６】
2010506508.tif 000009
【００４６】
ここでは、
【数７】
2010506508.tif 000010
【００４７】
は、レシピエントｅＮＢから基準信号（例、パイロット信号）に使用された時間周波数スロットについてＵＥで受信されたパワーであり、ＳＮＲｔａｒｇｅｔは、ランダムアクセスプリアンブルについてのターゲットＳＮＲであり、Ｎ０は、ＵＥにおけるガウスノイズ(Gaussian noise)であり、
【数８】
2010506508.tif 000011
【００４８】
は、ＵＥでの他のｅＮＢｓからの干渉であり、Ｉｏｒは、ＵＥにおいてレシピエントｅＮＢについて受信されたパワーであり、
【数９】
2010506508.tif 000012
【００４９】
は、レシピエントｅＮＢからの基準信号の伝送パワーであり、
【数１０】
2010506508.tif 000013
【００５０】
は、レシピエントｅＮＢでのＲＡＣＨスロット干渉レベルであり、δは、補正ファクタ(correction factor)であり、また、Ｋｒａｍｐ（ｍ）は、ｍ番目の伝送についての伝送パワーにおける増加の量である。
【００５１】
式（１）において、
【数１１】
2010506508.tif 000014
【００５２】
は、レシピエントｅＮＢからの受信信号を示している。量
【数１２】
2010506508.tif 000015
【００５３】
は、ＵＥによって測定されるように、ダウンリンク基準信号のために使用される時間周波数スロットについての、信号対他のセル干渉およびノイズの比(a signal-to-other-cell-interference-plus-noise ratio)、である。補正ファクタδは、開ループアルゴリズムをバイアスするために使用されることができる。ｅＮＢ伝送パワー
【数１３】
2010506508.tif 000016
【００５４】
、ＲＡＣＨスロット干渉レベル
【数１４】
2010506508.tif 000017
【００５５】
、補正ファクタδ、および／または、他のパラメータ、はレシピエントｅＮＢによってＢＣＨ上でブロードキャストされることができる。これらのパラメータは、ランダムアクセスプリアンブルの伝送パワーを決定するために使用されることができる。ＵＥは、この伝送パワーを推定することができるので、レシピエントｅＮＢでのランダムアクセスプリアンブルのＳＮＲは、ＳＮＲｔａｒｇｅｔについてのターゲット値に対応する。
【００５６】
式（１）は、デシベル（ｄＢ）の単位を使用して、次のように、対数ドメイン(logarithm domain)において書き直されることができる：
【数１５】
2010506508.tif 000018
【００５７】
式(２)における量は、ｄＢの単位で、書かれている。受信パワーと干渉補正は、ＵＥによって測定されることができる。オフセットパワーと、加えられた補正は、ＢＣＨ上のレシピエントｅＮＢによってシグナリングされることができる(signaled)。
【００５８】
開ループ推定が必ずしも正確でない可能性がある(may not be every accurate)ので、ＵＥは、ランダムアクセスプリアンブルの後続伝送(subsequent transmission)についてのその伝送パワーを増大することができる。一設計において、パワーランプアップ(power ramp up)は次のように定義されることができる：
ｐｏｗｅｒ＿ｒａｍｐ＿ｕｐ＝（ｍ−１）×ｐｏｗｅｒ＿ｓｔｅｐ
式（３）  
ここでは、ｐｏｗｅｒ＿ｓｔｅｐは、ランダムアクセスプリアンブルの各失敗した伝送についての伝送パワーにおける増大の量である。式（３）は、第１の伝送について、ｐｏｗｅｒ＿ｒａｍｐ＿ｕｐ＝０ ｄＢで始めて、ランダムアクセスプリアンブルの伝送パワーを線形に(linearly)増やす。伝送パワーは、また、いずれの他の線形あるいは非線形のファンクション(function)に基づいて、増大させられることができる。
【００５９】
式（１）〜（３）は、ランダムアクセスプリアンブルの伝送パワーを決定する一設計を示している。伝送パワーは、また、例えば式（１）あるいは（２）において示されているものよりも異なるパラメータで、他の方法で決定されることができる。例えば、デフォルト値は、
【数１６】
2010506508.tif 000019
【００６０】
および／または他のパラメータについて、使用されることができる。代替的に、これらのパラメータは、補正ファクタδに吸収されることができる。
【００６１】
一設計において、ランダムアクセスプリアンブルの成功した伝送(successful transmission)の後で送信された第１のアップリンクメッセージの伝送パワーは、次のように決定されることができる：
【数１７】
2010506508.tif 000020
【００６２】
ここでは、ＲＡＣＨ＿ｐｏｗｅｒは、ＲＡＣＨ上のランダムアクセスプリアンブルの成功した伝送の伝送パワーであり、ＰＵＳＣＨ＿ｐｏｗｅｒは、ＰＵＳＣＨ上で送信されたメッセージの伝送パワーであり、ＰＣ＿ｃｏｒｒｅｃｔｉｏｎは、ランダムアクセスレスポンスにおいて受信されたＰＣ補正であり、また、ＰＵＳＣＨ＿ＲＡＣＨ＿ｐｏｗｅｒ＿ｏｆｆｓｅｔは、ＰＵＳＣＨとＲＡＣＨとの間のパワーオフセットである。
【００６３】
一設計において、ＰＣ補正は、伝送パワーにおける増大あるいは減少の量を示してもよく、また、いずれの数のビットの（例、４ビット）解像度(resolution)で、与えられてもよい。別の設計においては、ＰＣ補正は、あらかじめ決定された量によって伝送パワーが増大されるあるいは減少されるべきかどうかを、単に示す可能性がある。ＰＣ補正は、また、省略されてもよいし、あるいは、ＰＵＳＣＨ対ＲＡＣＨパワーオフセット(PUSCH to RACH power offset)に吸収されてもよい。ＰＵＳＣＨ対ＲＡＣＨパワーオフセットは、ｅＮＢによってＢＣＨ上でブロードキャストされることができる、あるいは、他の手段によって提供されることができる。
【００６４】
一設計において、同じ伝送パラメータ値およびセッティングは、すべてのＵＥｓによって使用される。例えば、同じターゲットＳＮＲと加えられた補正は、すべてのＵＥｓによってランダムアクセスプリアンブルのために使用されることができ、また、同じＰＵＳＣＨ対ＲＡＣＨパワーオフセットは、すべてのＵＥｓによって第１のアップリンクメッセージのために使用されることができる。
【００６５】
他の設計においては、ＵＥｓは、複数のクラスに分類されることができ、異なる伝送パラメータ値およびセッティングは、ＵＥｓの異なるクラス(different classes of UEs)について使用されることができる。ＵＥｓは様々な方法で分類されることができる。例えば、ＵＥｓは、パワーアップ時の初期システムアクセス、ＵＥに対して送信されたページに対するレスポンス、ＵＥで到達しているデータ、アクティブ状態への遷移、１つのｅＮＢから別のｅＮＢへのハンドオーバー等、のような様々なシナリオについてのランダムアクセスプロシージャを実行することができる。異なるＵＥのクラス(different UE classes)は、異なるランダムアクセスシナリオについて定義されることができる。別の設計においては、ＵＥｓは、それらのプライオリティ(priorities)に基づいて、分類されることができ、それは、サービスの申し込み(service subscription)および／または他の要因に基づいて決定されることができる。まだ別の設計においては、ＵＥｓは、これらのＵＥｓによって送信されているメッセージのタイプに基づいて、分類されることができる。一般に、いずれの数のＵＥのクラスは、ファクタのいずれのセット(any set of factors)に基づいて形成されることができ、各クラスは、いずれの数のＵＥｓを含むことができる。
【００６６】
一つの設計においては、異なるターゲットＳＮＲ値は、異なるクラスにおけるＵＥｓによって使用されることができる。例えば、ＵＥｓは２つのクラスに分類されることができ、より高いターゲットＳＮＲ値(higher target SNR value)は、第１のクラスのＵＥｓによって使用されることができ、また、より低いターゲットＳＮＲ値(lower target SNR value)は、第２のクラスのＵＥｓによって使用されることができる。一般に、より高いターゲットＳＮＲを備えたＵＥｓは、それらのランダムアクセスプリアンブルについて伝送パワーを使用することができる可能性があり、それは、これらのランダムアクセスプリアンブルが、ｅＮＢｓにおいてより高いＳＮＲで受信されることを可能にする。ＵＥｓの異なるクラスによる異なるターゲットＳＮＲ値の使用は、キャプチャ効果(capture effect)を介してＲＡＣＨのスループットを改善することができる。例えば、複数のＵＥｓは、同じＲＡＣＨスロットにおいてそれらのランダムアクセスプリアンブルを送信してもよいし、それは、そのあとで、それは、ｅＮＢでこれらのランダムアクセスプリアンブルの衝突を結果としてもたらすであろう。２つのクラスにおける２つのＵＥｓ間の衝突が生じるとき、より高いターゲットＳＮＲで送信された第１のランダムアクセスプリアンブルは、より低いターゲットＳＮＲで送信された第２のランダムアクセスプリアンブルからのよりすくない干渉を観察することができる。したがって、ｅＮＢは、第１のランダムアクセスプリアンブルを正確にデコードすることができるかもしれないし、また、第２のランダムアクセスプリアンブルをデコードすることができるかもしれないし、あるいは、できないかもしれない。ｅＮＢは、干渉除去(interference cancellation)を実行し、第１のランダムアクセスプリアンブルによる干渉を推定し、推定された干渉を受信された信号からキャンセルし(cancel)、また、そのあとで、第２のランダムアクセスプリアンブルについてデコードすることを実行することができる。第２のランダムアクセスプリアンブルを正しくデコードする可能性は、干渉除去により改善することができる。したがって、キャプチャ効果は、ｅＮＢが同じＲＡＣＨスロットにおいて送信されたランダムアクセスプリアンブルのサブセットあるいはすべてを正しくデコードすることを可能にする。対照的に、すべてのＵＥｓが同じターゲットＳＮＲでそれらのランダムアクセスプリアンブルを送信する場合には、そのときには、これらのＵＥｓ間の衝突は、キャプチャ効果を作らず、ｅＮＢは、これらのＵＥｓによって送信されたランダムアクセスプリアンブルのうちのいずれかを正確にデコードすることができない可能性がある。したがって、これらのＵＥｓのすべては、それらのランダムアクセスプリアンブルを再伝送する必要があるかもしれない。
【００６７】
別の設計においては、異なる補正ファクタ値は、ＵＥｓの異なるクラス(different classes of UEs)について使用されることができる。また別の設計においては、異なるパワーランプアップ値(power ramp up values)は、ＵＥｓの異なるクラスについて使用されることができる。例えば、より高いパワーランプアップ値は、ランダムアクセス遅延(random access delay)を潜在的に減らすために、ＵＥｓの１つのクラス(one class of UEs)について使用されることができ、また、より低いパワーランプアップ値は、別のクラスのＵＥｓについて使用されることができる。また別の設計においては、異なるバックオフ時間値は、ＵＥｓの異なるクラスについて使用されることができる。例えば、より短いバックオフ時間は、ランダムアクセス遅延を潜在的に減らすために、ＵＥｓの１つのクラスについて使用されることができ、また、より長いバックオフ時間は、ＵＥｓの別のクラスについて使用されることができる。
【００６８】
また別の設計においては、異なるＰＵＳＣＨ対ＲＡＣＨパワーオフセット値は、ＵＥｓの異なるクラスについて使用されることができる。このことは、異なるクラスにおけるＵＥｓによって送信された第１のアップリンクメッセージについて、キャプチャ効果が達成されることを可能にすることができる。
【００６９】
式（２）および／または（４）における１つまたは複数のパラメータは、上記で説明されているように、異なるＵＥのクラスについて異なる値を有することができる。他の設計においては、式（２）および／または（４）における１つまたは複数のパラメータは、個々のＵＥｓについて特定である値を有することができる。一設計においては、ターゲットＳＮＲおよび／または、補正ファクタδは、ＵＥ特定値(UE-specific values)を有するかもしれない。この設計において、各ＵＥは、ターゲットＳＮＲおよび／またはそのＵＥのための補正ファクタ、に基づいて決定された伝送パワーで、ランダムのアクセスプリアンブルを送信することができる。デフォルト値あるいはブロードキャスト値は、ＵＥ特定値が利用可能でない、各パラメータについて使用されることができる。
【００７０】
別の設計においては、ＰＵＳＣＨ対ＲＡＣＨパワーオフセットは、ＵＥ特定値を有することができる。この設計においては、各ＵＥは、そのＵＥについてＰＵＳＣＨ対ＲＡＣＨパワーオフセット値に基づいて決定された伝送パワーを用いて、（あるいは、ＵＥ特定値が使用可能ではない場合には、デフォルトあるいはブロードキャスト値を用いる）第１のアップリンクメッセージを送信することができる。
【００７１】
図７は、ｅＮＢ１１０およびＵＥ１２０の設計のブロック図を示しており、それは、図１におけるｅＮＢｓのうちの１つであり、ＵＥｓのうちの１つである。この設計においては、ｅＮＢ１１０は、Ｔアンテナ７２４ａ〜７２４ｔで装備しており、ＵＥ１２０は、Ｒアンテナ７５２ａ〜７５２ｒで装備されており、ここでは、一般に、Ｔ≧１で、Ｒ≧１である。
【００７２】
ｅＮＢ１１０において、送信（ＴＸ）データプロセッサ７１４は、データソース７１２から１つまたは複数のＵＥｓのためにトラフィックデータを受信することができる。ＴＸデータプロセッサ７１４は、コード化されたデータを得るためにそのＵＥについて選択される１つまたは複数のコード化スキーム(coding schemes)に基づいて、各ＵＥについてのトラフィックデータを処理する（例、フォーマット化し、エンコードし、そしてインターリーブする）ことができる。ＴＸデータプロセッサ７１４は、そのあとで、変調シンボルを得るそのＵＥのために選択された、１つまたは複数の変調スキーム(modulation schemes)（例、ＢＰＳＫ、ＱＰＳＫ、ＰＳＫ、あるいはＱＡＭ）に基づいて、各ＵＥについてコード化されたデータを、変調する（あるいはシンボルマッピングする）ことができる。
【００７３】
ＴＸ ＭＩＭＯプロセッサ７２０は、いずれの多重化スキーム(multiplexing scheme)を使用して、パイロットシンボルで、すべてのＵＥｓについて変調シンボルを多重化することができる。パイロットは、知られた方法で処理されている典型的に知られているデータであり、また、チャネル推定および他の目的のために受信機によって使用されることができる。ＴＸ ＭＩＭＯプロセッサ７２０は、多重化された変調シンボルとパイロットシンボルを処理し（例、プリコードする(precode)）、Ｔ送信機（ＴＭＴＲ）７２２a〜７２２ｔに対して、Ｔ出力シンボルストリームを提供することができる。ある設計においては、ＴＸ ＭＩＭＯプロセッサ７２０は、これらのシンボルを空間的にスチアするために(to spatially steer)、変調シンボルに、ビーム形成重量(beamforming weights)を適用することができる。各送信機７２２は、それぞれの出力シンボルストリームを、例えば直交周波数分割多重化（ＯＦＤＭ）については、出力チップストリームを得るために、処理することができる。各送信機７２２は、ダウンリンク信号を得るために、出力チップストリームをさらに処理する（例えば、アナログに変換し、増幅し、フィルタにかけ、そしてアップコンバートする）ことができる。送信機７２２ａ〜７２２ｔからのＴダウンリンク信号は、それぞれ、Ｔアンテナ７２４ａ〜７２４ｔを介して、送信されることができる。
【００７４】
ＵＥ１２０において、アンテナ７５２ａ〜７５２ｒは、ｅＮＢ１１０からダウンリンク信号を受信し、また、それぞれ、受信機（ＲＣＶＲ）７５４ａ〜７５４ｒに対して受信信号を提供することができる。各受信機７５４は、サンプルを得るために、それぞれの受信信号をコンディションする(condition)（例、フィルタにかけ、増幅し、ダウンコンバートし、そしてデジタル化する）ことができ、また、さらに、受信シンボルを得るために、（例、ＯＦＤＭの場合）サンプルを処理することができる。ＭＩＭＯ検出器７６０は、検出されたシンボルを得るために、ＭＩＭＯ受信機処理技術に基づいて、Ｒ受信機７５４ａ〜７５４ｒから、受信シンボルを受信し、処理することができ、それらは、ｅＮＢ１１０によって送信された変調シンボルの推定値である。受信（ＲＸ）データプロセッサ７６２は、そのあとで、検出されたシンボルを処理し（例、復調し、デインターリーブし、そしてデコードする）、データシンク７６４に対して、ＵＥ１２０についてのデコードされたデータを提供することができる。一般に、ＭＩＭＯ検出器７６０およびＲＸデータプロセッサ７６２による処理は、ｅＮＢ１１０でのＴＸ ＭＩＭＯプロセッサ７２０およびＴＸデータプロセッサ７１４による処理に対する補足である。
【００７５】
アップリンク上で、ＵＥ１２０では、データソース７７６からのトラフィックデータとシグナリング（例、ランダムアクセスシグナリング）は、ＴＸデータプロセッサ７７８によって処理されることができ、さらにモジュレータ７８０によって処理され、送信機７５４ａ〜７５４ｒによってコンディションされ、そして、ｅＮＢ１１０に送信されることができる。ｅＮＢ１１０において、ＵＥ１２０からのアップリンク信号は、アンテナ７２４によって受信され、受信機７２２によってコンディションされ、デモジュレータ７４０によって復調され、そして、ＵＥ１２０によって送信されたトラフィックデータおよびシグナリングを得るために、ＲＸデータプロセッサ７４２によって処理されることができる。
【００７６】
コントローラ/プロセッサ７３０および７７０は、それぞれ、ｅＮＢ１１０とＵＥ１２０においてオペレーションを命令することができる。メモリ７３２および７７２は、それぞれ、ｅＮＢ１１０とＵＥ１２０についてのデータとプログラムのコードを保存することができる。スケジューラ７３４は、ダウンリンクおよび／またはアップリンク伝送についてＵＥｓをスケジュールする(schedule)ことができ、また、スケジュールされたＵＥｓのために、リソースの割り当てを提供することができる。
【００７７】
図８は、ＵＥによるランダムアクセスシグナリングを送信するためのプロセス８００の設計を示す。ランダムアクセスシグナリングのための少なくとも１つの伝送パラメータについての少なくとも１つのパラメータ値は、特定のＵＥのクラスに基づいて決定されることができ、少なくとも１つの伝送パラメータは、複数のＵＥのクラスについて異なる値を有している（ブロック８１２）。ランダムアクセスシグナリングは、システムアクセス、例えば、パワーアップ時の初期システムアクセス、アクティブ状態へ遷移するシステムアクセス、あるいはハンドオーバーのためのシステムアクセス、について少なくとも１つのパラメータ値に基づいて、送信されることができる（ブロック８１４）。少なくとも１つの伝送パラメータは、ターゲットＳＮＲ、パワーオフセット、補正ファクタ、等、を備えることができる。ランダムアクセスシグナリングの伝送パワーは、少なくとも１つのパラメータ値に基づいて、決定されることができ、また、ランダムアクセスシグナリングは、決定された伝送パワーで送信されることができる。
【００７８】
一設計においては、ランダムアクセスシグナリングは、ランダムアクセスプリアンブルであってもよいし、また、少なくとも1つの伝送パラメータは、ランダムアクセスプリアンブルのためのターゲットＳＮＲを備えていてもよい。ランダムアクセスプリアンブルの伝送パワーは、特定のＵＥのクラスについてのターゲットＳＮＲ値、および、基準信号についての受信パワー、ランダムアクセスプリアンブルを送信するために使用された時間周波数スロットの干渉レベル、パワーオフセット、補正ファクタ、等、のような他のパラメータ、に基づいて、決定されることができる。ランダムアクセスプリアンブルは、決定された伝送パワーで送信されることができる。少なくとも1つの伝送パラメータは、バックオフ時間を備えてもよく、ランダムアクセスプリアンブルの連続する送信の間を待機する時間の量は、特定のＵＥのクラスについてのバックオフ時間値に基づいて決定されることができる。少なくとも1つの伝送パラメータは、パワーランプを備えていてもよく、ランダムアクセスプリアンブルの連続する送信の伝送パワーは、特定のＵＥのクラスについてのパワーランプ値に基づいて決定されることができる。
【００７９】
別の設計においては、ランダムアクセスシグナリングは、ランダムアクセスプリアンブルについてのランダムアクセスレスポンスを受信した後で送信されたメッセージであってもよい。少なくとも１つの伝送パラメータは、ランダムアクセスプリアンブルを送信するために使用された第１のチャネル（例、ＲＡＣＨ）と、メッセージを送信するのに使用された第２のチャネル（例、ＰＵＳＣＨ）との間で、パワーオフセットを備えることができる。メッセージの伝送パワーは、特定のＵＥのクラスについてのパワーオフセット値とＰＣ補正のような多分他のパラメータ(possibly other parameters)、に基づいて決定されることができる。メッセージは、そのあとで、決定された伝送パワーで送信される。
【００８０】
図９は、ランダムアクセスシグナリングを送信するための装置９００の設計を示す。装置９００は、特定のＵＥのクラスに基づいてランダムアクセスシグナリングのための、少なくとも１つの伝送パラメータについて少なくとも１つのパラメータ値を決定するための手段と、なお、該少なくとも１つの伝送パラメータは複数のＵＥのクラスについて異なる値を有している（モジュール９１２）、システムアクセスについて少なくとも１つのパラメータに基づいてランダムアクセスシグナリングを送信するための手段（モジュール９１４）と、を含んでいる。
【００８１】
図１０は、システムアクセスについてのメッセージを送信するためのプロセス１０００の設計を示す。ランダムアクセスプリアンブルが、システムアクセスのために送信されることができる（ブロック１０１２）。ＰＣ補正を備えたランダムアクセスレスポンスが、受信されることができる（ブロック１０１４）。メッセージの伝送パワーは、ＰＣ補正および多分他のパラメータに基づいて決定されることができる（ブロック１０１６）。例えば、メッセージの伝送パワーは、ランダムアクセスプリアンブルの伝送パワー、ランダムアクセスプリアンブルを送信するために使用される第１のチャネルとメッセージを送信するのに使用される第２のチャネルとの間のパワーオフセット、等、にさらに基づいて、決定されることができる。メッセージは、決定された伝送パワーで送信されることができる（ブロック１０１８）。
【００８２】
ＰＣ補正は、基地局においてランダムアクセスプリアンブルの受信信号品質に基づいて生成されることができる。ＰＣ補正は、メッセージについての伝送パワーの増加あるいは減少の量を示すことができる。ＰＣ補正は、また、あらかじめ決定された量によって、伝送パワーを増やすか減らすかどうかを示すことができる。
【００８３】
図１１は、システムアクセスについてのメッセージを送信するための装置１１００の設計を示す。装置１１００は、システムアクセスのためにランダムアクセスプリアンブルを送信するための手段と（モジュール１１１２）、ＰＣ補正を備えたランダムアクセスレスポンスを受信するための手段と（モジュール１１１４）、ＰＣ補正と多分他のパラメータに基づいてメッセージの伝送パワーを決定するための手段と（モジュール１１１６）、また、決定された伝送パワーでメッセージを送信するための手段と（モジュール１１１８）、を含んでいる。
【００８４】
図９および１１におけるモジュールは、プロセッサ、電子デバイス、ハードウェアデバイス、エレクトロニクスコンポーネント、論理回路、メモリ、等、あるいは、それらのいずれの組み合わせを備えることができる。
【００８５】
当業者は、情報および信号は、様々な異なる技術および技法のいずれかを使用して表わされることができるということを、理解するであろう。例えば、上記の説明をとおして参照されることができる、データ、インストラクション(instructions)、コマンド(commands)、情報、信号、ビット、シンボル、およびチップは、電圧、電流、電磁波、磁場あるいは磁性粒子、光場あるいは光学粒子、あるいはそれらのいずれの組合せによって表わされることができる。
【００８６】
当業者は、いずれの様々な説明のための論理ブロック、モジュール、回路、および、ここでの開示に関連して説明されたアルゴリズムステップは、電子ハードウェア、コンピュータソフトウェア、あるいは両方の組み合わせとして、インプリメントされることができる、ということをさらに理解するであろう。ハードウェアとソフトウェアのこの互換性(interchangeability)を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、全体のシステムに課された特定のアプリケーションおよび設計制約(particular application and design constraints imposed on the overall system)に依存する。熟練職人は、各特定のアプリケーションについての様々な方法で、説明された機能性をインプリメントすることができるが、そのようなインプリメンテーションの決定は、本開示の範囲からの逸脱を生じさせるものとして解釈されるべきでない。
【００８７】
ここでの開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いかなる従来のプロセッサ、コントローラ、マイクロコントローラ、あるいはステート機械(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、としてインプリメントされてもよい。
【００８８】
ここでの開示に関連して説明された方法あるいはアルゴリズムのステップは、直接的にハードウェアにおいて、プロセッサによって実行されたソフトウェアモジュールにおいて、あるいはこれら２つの組み合わせにおいて、具現化されることができる。ソフトウェアモジュール、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において存在する(reside)ことができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。プロセッサと記憶媒体は、ＡＳＩＣにおいて存在していてもよい。ＡＳＩＣは、ユーザ機器に存在していてもよい。あるいは、プロセッサと記憶媒体は、ユーザ機器において、ディスクリートコンポーネントとして存在していてもよい。
【００８９】
１つまたは複数の例示的な設計においては、説明された機能(functions)は、ハードウェア、ソフトウェア、ファームウェアあるいはそれらのいずれかの組み合わせにおいてインプリメントされることができる。ソフトウェアでインプリメントされる場合には、機能は、１つまたは複数のインストラクションあるいはコンピュータ可読媒体上のコードとして、記憶されてもよく、あるいは、送信されることができる。コンピュータ可読媒体は、１つの場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、汎用あるいは専用のコンピュータによってアクセスされることができる、任意の利用可能な媒体であってもよい。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ(optical disk storage)、磁気ディスクストレージ(magnetic disk storage)あるいは他の磁気ストレージデバイス(magnetic storage devices)、あるいは、任意の他の媒体も備えることができ、それらは、インストラクションあるいはデータストラクチャの形態において望まれるプログラムコード手段(desired program code means)を保存あるいは搬送するように使用されることができ、また、汎用あるいは専用のコンピュータ、あるいは、汎用あるいは専用のプロセッサ、によってアクセスされることができる。また、いずれのコネクション(connection)もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disk)は、コンパクトディスク(compact disc)（ＣＤ）、レーザーディスク（登録商標）(laser disc)、光学ディスク(optical disc)、デジタル汎用ディスク(digital versatile disc)（ＤＶＤ）、フロッピー（登録商標）ディスク(disk)およびブルーレイディスク(blu-ray disc)を含んでおり、ディスク(disks)は、大抵、データを磁気で再生しているが、ディスク(discs)は、レーザーで光学的に再生する。上記のものの組み合わせも、また、コンピュータ可読媒体の範囲内に含まれるべきである。
【００９０】
本開示の以上の説明は、いずれの当業者も本発明を作り、使用することができるように提供されている。本開示に対する様々な修正は、当業者にとって容易に明らかであろう、そして、ここにおいて定義された包括的な原理は、本開示の精神あるいは範囲から逸脱することなく、他の実施形態に適用されることができる。したがって、本開示は、ここに説明された例および設計に限定されるようには意図されておらず、ここに開示された原理および新規な特徴に整合する最も広い範囲が与えられるべきである。
【図１】
2010506508.tif 000021
【図２】
2010506508.tif 000022
【図３】
2010506508.tif 000023
【図４】
2010506508.tif 000024
【図５】
2010506508.tif 000025
【図６】
2010506508.tif 000026
【図７】
2010506508.tif 000027
【図８】
2010506508.tif 000028
【図９】
2010506508.tif 000029
【図１０】
2010506508.tif 000030
【図１１】
2010506508.tif 000031
【国際調査報告】
2010506508.tif 000032
2010506508.tif 000033
2010506508.tif 000034
2010506508.tif 000035
2010506508.tif 000036
2010506508.tif 000037